(57)【要約】【課題】トナーの漏洩防止及びシャッターの円滑な開閉動作を経時的に安定して維持すると共に、部品点数及び作業工数を削減して、コストダウンに寄与することができるトナーカートリッジ及びこれを用いた画像形成装置を簡易な構成で提供する。【解決手段】トナーを供給可能に収容する収容部１１０と、該収容部１１０と連通する開口部１１７を有し、収容部１１０の外表面に突出形成された中空の突起部１１５と、該開口部１１７を開閉し、突起部１１５に対して摺動自在に形成されたシャッター１２０と、該突起部１１５とシャッター１２０との摺動面に設けられ、トナーの漏れを防止するシール部１１５ｓとを備え、シール部１１５ｓは、熱可塑性の弾性樹脂で形成されていると共に、該シール部１１５ｓは、突起部１１５又はシャッター１２０のいずれかと一体に二色成型されていることを特徴とする。【選択図】図２
2008008952.tif 000002
【特許請求の範囲】
【請求項１】
トナーを供給可能に収容する収容部と、
該収容部と連通する開口部を有し、収容部の外表面に突出形成された中空の突起部と、
該開口部を開閉し、前記突起部に対して摺動自在に形成されたシャッターと、
該突起部とシャッターとの摺動面に設けられ、トナーの漏れを防止するシール部と
を備え、
前記シール部は、熱可塑性の弾性樹脂で形成されていると共に、該シール部は、前記突起部又はシャッターのいずれかと一体に二色成型されていることを特徴とするトナーカートリッジ。
【請求項２】
前記シール部は、前記シャッターの摺動方向と直交する方向に対して移動不能となるようなストッパー部を備えていることを特徴とする請求項１に記載のトナーカートリッジ。
【請求項３】
前記シール部には、前記シャッターの開放状態において、該シャッターと対向する端部に面取りが形成されていることを特徴とする請求項１又は２に記載のトナーカートリッジ。
【請求項４】
請求項１ないし３のいずれかに記載のトナーカートリッジと、該トナーカートリッジから供給されるトナーにより記録媒体に画像を形成する画像形成手段とを備えることを特徴とする画像形成装置。
【発明の詳細な説明】
【技術分野】
【０００１】
本発明は、トナーを供給可能に収容するトナーカートリッジ及びこれを用いた画像形成装置に関し、特に、トナーカートリッジのシール部の改良に関するものである。
【背景技術】
【０００２】
【特許文献１】特許第３３１３９００号公報
【０００３】
一般に、複写機などに用いられるトナーカットリッジにおいては、トナーを供給するための開口部が設けられている。通常、この開口部には、シャッター等が設けられ、トナーカートリッジが複写機にセットされる前の状態においては、シャッターを閉じることによりトナーが漏れるのを防止し、セットされた後は当該シャッターが開きトナーを供給できるようにしている。
【０００４】
従来、このシャッターには、開口部に対応する部分に弾力性のあるスポンジ等で形成されたシール材が貼り付けられており、シャッターを閉じる際の開口部との接触により当該シール材が圧縮されて、シャッターと開口部との間に隙間ができないように密閉性を高めて、トナーが外部に漏れるのを防いでいる。さらに、シャッターの動作を滑らかにするために、スポンジ材の上にフィルム等を貼り付けてすべりを良好にしている。また、このようなトナー漏れを防止するためのシール材を備えたユニットが提案されている（例えば、特許文献１参照）。
【０００５】
例えば、特許文献１には、ハウジングに舌片状のシール材を一体成形しトナーの漏れを防止すると共に、像担持体、帯電器、現像器、クリーニング部等の画像形成ユニットを一体構造としたプロセスユニットが開示されている。
【発明の開示】
【発明が解決しようとする課題】
【０００６】
ところで、一般に、シール材をトナーカートリッジに設ける場合には、シャッターを開閉する際、例えば開口部側に設けられたシール材とシャッターとが摺擦し、経時的にシール材が磨耗して、トナーが漏洩したり、あるいは、シール材が剥離し易いといった問題が生じていた。
【０００７】
また、シャッターの摺動性を確保するために、シール材の上にさらにフィルム部材を貼り付けているために、部品点数や工数が増大し、コストアップするといった問題が生じていた。
【０００８】
そこで、本発明の目的は、トナーの漏洩防止及びシャッターの円滑な開閉動作を経時的に安定して維持すると共に、部品点数及び作業工数を削減して、コストダウンに寄与することができるトナーカートリッジ及びこれを用いた画像形成装置を簡易な構成で提供することにある。
【課題を解決するための手段】
【０００９】
上記目的を達成するために、本発明に係るトナーカートリッジは、（１）トナーを供給可能に収容する収容部と、該収容部と連通する開口部を有し、収容部の外表面に突出形成された中空の突起部と、該開口部を開閉し、前記突起部に対して摺動自在に形成されたシャッターと、該突起部とシャッターとの摺動面に設けられ、トナーの漏れを防止するシール部とを備え、前記シール部は、熱可塑性の弾性樹脂で形成されていると共に、該シール部は、前記突起部又はシャッターのいずれかと一体に二色成型されていることを特徴とするものである。
【００１０】
（２）また、前記（１）に記載のトナーカートリッジにおいて、前記シール部は、前記シャッターの摺動方向と直交する方向に対して移動不能となるようなストッパー部を備えていてもよい。
【００１１】
（３）さらに、前記（１）又は（２）に記載のトナーカートリッジにおいて、前記シール部には、前記シャッターの開放状態において、該シャッターと対向する端部に面取りが形成されていてもよい。
【００１２】
（４）また、本発明に係る画像形成装置は、前記（１）ないし（３）のいずれかに記載のトナーカートリッジと、該トナーカートリッジから供給されるトナーにより記録媒体に画像を形成する画像形成手段とを備えることを特徴とするものである。
【発明の効果】
【００１３】
上記（１）に記載の発明によれば、シール部が、熱可塑性の弾性樹脂で形成されていると共に、該シール部は、トナーカートリッジの突起部又はシャッターのいずれかと一体に二色成型されているので、シール部材の経時的な磨耗を防止すると共に、シャッターの円滑な摺動性を安定して維持し、併せて、従来のシール部材やフィルム部材の省略を可能として、コストダウンに寄与することができる。また、二色成型を用いることによって精度よくシール材を形成することができ、シールを貼る作業を省略することができる。
【００１４】
また、上記（２）に記載の発明によれば、シール部が、シャッターの摺動方向と直交する方向に対して移動不能となるようなストッパー部を備えているので、シール部の脱落剥離を確実に防止することができる。
【００１５】
また、上記（３）に記載の発明によれば、シャッターを開放状態から閉鎖状態へ摺動させる際に、対向するシール部の端部に面取りが形成されているので、より円滑にシャッターを開閉させることができる。
【００１６】
また、上記（４）に記載の発明によれば、上記いずれかのトナーカートリッジを備えた画像形成装置にも好適に適用可能となる。
【発明を実施するための最良の形態】
【００１７】
以下に、本発明に係る実施の形態について、図面を参照して説明する。
【００１８】
まず、本発明の一実施の形態に係る画像形成装置の概略構成について、図１を参照して説明する。図１は本発明に係わるタンデム型カラー画像形成装置１００の概略構成図である。
【００１９】
この画像形成装置１００においては、画像読取装置１０２より読み取られたカラー原稿のカラー画像情報、図示しないパーソナルコンピュータや画像データ入力装置等から送られてくるカラー画像情報等が入力され、入力された画像情報に対して画像処理が行われるようになっている。
【００２０】
図１において、１Ｙ，１Ｍ，１Ｃ，１Ｋは、それぞれイエロー（Ｙ）、マゼンタ（Ｍ）、シアン（Ｃ）、ブラック（Ｋ）の各色トナー画像を形成する画像形成ユニットであり、複数の張架ロールにより張架された無端状の中間転写ベルト９の進行方向に沿って１Ｙ，１Ｍ，１Ｃ，１Ｋの順で直列に配設されている。また、中間転写ベルト９は、これらの画像形成ユニット１Ｙ，１Ｍ，１Ｃ，１Ｋで順次形成された各色のトナー像が、互いに重ね合わされた状態で転写される中間転写体であり、各画像形成ユニット１Ｙ，１Ｍ，１Ｃ，１Ｋに対応する静電潜像担持体である感光体ドラム２Ｙ，２Ｍ，２Ｃ，２Ｋのそれぞれに対向して配設される一次転写ロール６Ｙ，６Ｍ，６Ｃ，６Ｋとの間に挿通され、矢印方向に循環移動可能に形成されている。そして、中間転写ベルト９上に多重に転写された各色のトナー像は、給紙カセット１７等から給紙された記録媒体としての記録用紙１８上に一括して転写された後、定着装置１５によって記録用紙１８上に定着され、カラー画像が形成された記録用紙１８が外部に排出されるようになっている。
【００２１】
ここで、画像読取装置１０２は、プラテンガラス上に載置された原稿を不図示の光源によって照明し、原稿からの反射光像を、走査光学系を介してＣＣＤセンサ等からなる画像読取素子によって所定の解像度で読み取るように構成されている。
【００２２】
また、各画像形成ユニット１Ｙ，１Ｍ，１Ｃ，１Ｋは、同様に構成されており、大別して、矢印方向に沿って所定の回転速度で回転する像担持体である感光体ドラム２Ｙ，２Ｍ，２Ｃ，２Ｋと、この感光体ドラム２Ｙ，２Ｍ，２Ｃ，２Ｋの表面を一様に帯電する帯電手段としての帯電ロール３Ｙ，３Ｍ，３Ｃ，３Ｋと、当該感光体ドラム２Ｙ，２Ｍ，２Ｃ，２Ｋの表面に各色に対応した画像を露光して静電潜像を形成する露光装置４Ｙ，４Ｍ，４Ｃ，４Ｋと、感光体ドラム２Ｙ，２Ｍ，２Ｃ，２Ｋ上に形成された静電潜像を現像する現像装置５Ｙ，５Ｍ，５Ｃ，５Ｋと、着脱自在に配設され現像装置５Ｙ，５Ｍ，５Ｃ，５Ｋに所定の色のトナーを供給するトナーカートリッジ１０Ｙ，１０Ｍ，１０Ｃ，１０Ｋと、ドラムクリーニング装置７Ｙ，７Ｍ，７Ｃ，７Ｋ等とから構成されている。
【００２３】
さらに、本実施の形態において、感光体ドラム２Ｙ，２Ｍ，２Ｃ，２Ｋは、矢印方向に回転する金属製ドラムの表面に有機系感光材料、アモルファスセレン系感光材料、アモルファスシリコン系感光材料等からなる感光層が被膜形成されており、帯電ロール３Ｙ，３Ｍ，３Ｃ，３Ｋは、この感光体ドラム２Ｙ，２Ｍ，２Ｃ，２Ｋの表面と接触し、直流電圧／電流に交流電圧／電流を重畳したバイアスにより、該感光層を所定の電位に帯電するように構成されている。
【００２４】
このように構成した画像形成装置における画像形成工程について、イエロートナー画像を形成する画像形成ユニット１Ｙを代表例として説明する。
【００２５】
まず、感光体ドラム２Ｙは、所定の直流電圧／電流に交流電圧／電流が重畳されたバイアス電圧／電流が帯電ロール３Ｙに印加されることにより、その表面（感光層）が一様に帯電される。次に、例えば、画像読取装置１０２によって読み取られた画像情報に基づき、露光装置４Ｙから出力されるレーザービームによりイエロー画像に対応する走査露光がなされ、感光体ドラム２Ｙの表面（感光層）にはイエロー画像に対応する静電潜像が形成される。
【００２６】
このイエロー画像に対応する静電潜像は、対応するトナーカートリッジ１０Ｙから供給されたイエロートナーを用いて現像装置５Ｙによってイエロートナー像となり、一次転写手段の一部を構成する一次転写ロール６Ｙの圧接力及び静電吸引力によって中間転写ベルト９上に一次転写される。一次転写後の感光体ドラム２Ｙ上に残留したイエロートナーは、ドラムクリーニング装置７Ｙよって掻き取られる。その後、感光体ドラム２Ｙの表面は除電装置８Ｙによって除電された後、次の画像形成サイクルのために帯電ロール３Ｙにより再び帯電される。
【００２７】
多色のカラー画像形成を行う本画像形成装置１００では、各画像形成ユニット１Ｙ，１Ｍ，１Ｃ，１Ｋの相対的な位置の違いを考慮したタイミングで、上記と同様の画像形成工程が画像形成ユニット１Ｍ，１Ｃ，１Ｋにおいても行われ、中間転写ベルト９上にフルカラートナー像が重ね合わされた状態で形成される。この中間転写ベルト９としては、例えば、可撓性を有するポリイミド等の合成樹脂フィルムを帯状に形成し、この帯状に形成された合成樹脂フィルムの両端を溶着等の手段によって接続することにより、無端ベルト状に形成したものが用いられる。
【００２８】
中間転写ベルト９上に一次転写されたフルカラートナー像は、所定のタイミングで二次転写位置へと搬送される記録用紙１８上に、中間転写ベルト９を支持するバックアップロール１３と、このバックアップロール１３に所定のタイミングで圧接する二次転写ロール１２との圧接力及び静電吸引力によって二次転写される。
【００２９】
一方、記録用紙１８は、画像形成装置１００内の下部に配置された記録用紙収容部としての給紙カセット１７から、所定のサイズのものが給紙ロール１７ａによって給紙される。給紙された記録用紙１８は、複数の搬送ロール１９及びレジストロール２０によって、所定のタイミングで中間転写ベルト９の二次転写位置まで搬送される。そして、記録用紙１８には、上述したように、二次転写手段としてのバックアップロール１３と二次転写ロール１２とによって、中間転写ベルト９上からフルカラートナー像が一括して転写される。
【００３０】
また、中間転写ベルト９上からフルカラートナー像が二次転写された記録用紙１８は、中間転写ベルト９から分離された後、二次転写手段の下流側に配設された定着装置１５へと搬送され、この定着装置１５によって熱及び圧力でトナー像が記録用紙１８上に定着されるようになっている。定着後の記録用紙１８は、排出ロール２３を介して、排出トレイ２４上に排出される。
【００３１】
さらに、二次転写手段により記録用紙１８上に転写できなかった中間転写ベルト９上の残トナーは、そのまま中間転写ベルト９上に付着した状態でベルトクリーニング装置１４まで搬送され、このベルトクリーニング装置１４により中間転写ベルト９上から除去されて次の画像形成に備える。
【００３２】
次に、本発明に係るトナーカートリッジの構成について、従来構成のトナーカートリッジと対比し、図面を参照して説明する。ここで、図２は、本発明に係るトナーカートリッジを示す模式図であり、図３は、従来構成のトナーカートリッジである。ここで、各トナーカートリッジ１０Ｙ〜１０Ｋは同様な構成であり、シャッター等の構成部材についても同様な構造であるので、以下、簡単のため各符号は総称表記（例えば、トナーカートリッジ１０）とする。
【００３３】
図２に示すように、本実施の形態に係るトナーカートリッジ１０は、トナーを供給可能に収容する中空円筒状の収容部１１０と、この収容部１１０の周面の長手方向端部に凸状に形成された突起部１１５とを備えている。さらに、この突起部１１５の内部には、収容部１１０と連通する方形の開口部１１７が形成されていると共に、突起部１１５の表面には、開口部１１７を開閉可能とするシャッター１２０が摺動自在に取り付けられている。
【００３４】
そして、トナーカートリッジ１０は、該トナーカートリッジ１０を画像形成装置１００から取り外した状態では、シャッター１２０を閉鎖することにより内部のトナーが漏れ出すことを防止し、トナーカートリッジ１０を画像形成装置１００に取り付けた状態では、シャッター１２０を開放することにより、トナーカートリッジ１０内に収容されたトナーを、現像装置５に供給可能としている。なお、トナーカートリッジ１０を画像形成装置１００に取付ける際には、開口部１１７が下向きとなるようにセットされる。
【００３５】
一方、従来のトナーカートリッジ２００においては、図３（ａ）に示すように、シャッター２１０と突起部２０５との間の隙間を塞いで、内部のトナーが漏洩しないように、開口部の周囲にシール部材２０５ｓ（例えば、弾力性のスポンジ）を貼り付けており、さらに、シャッター２１０のスライド動作を円滑にするために、シール部材２０５ｓの表面にフィルム部材２０５ｆを貼り付けていた。
【００３６】
しかしながら、このようなシール部材２０５ｓ及びフィルム部材２０５ｆは、シャッター２１０の開閉動作の際、図４（ｂ）中のＡ部に示すように、シャッター２１０がフィルム部材２０５ｆ及びシール部材２０５ｓを常に摺擦するため、フィルム部材２０５ｆ及びシール部材２０５ｓが経時的に磨耗し、突起部２０５とシャッター２１０との間に隙間ができてトナーが漏洩したり、フィルム部材２０５ｆが剥離し易いといった問題を有していた。また、開口部の周囲にシール部材２０５ｓを貼りつけて、さらにその上にフィルム部材２０５ｆを貼りつけるため、部品点数や作業工数が増大し、コストアップするといった問題も生じていた。
【００３７】
そこで、本実施の形態におけるトナーカートリッジ１０においては、次のようにして、従来のシール部材２０５ｓやフィルム部材２０５ｆの省略を可能とすると共に、十分なトナーのシール性及びシャッターの摺動性を確保している。
【００３８】
以下に、本発明に係るトナーカートリッジ１０の開口部１１７周辺の構成について、図４を参照してさらに説明する。図４は、本発明トナーカートリッジのシャッターの断面図である。
【００３９】
本実施の形態において、トナーカートリッジ１０の突起部１１５は、図４に示すように、開口部１１７の周囲に形成された断面が略Ｌ字状のガイド部１１５ｇを備えており、シャッター１２０は、このガイド部１１５ｇに沿って摺動自在に取り付けられている。
【００４０】
さらに、シャッター１２０と接触する、突起部１１５の上表面には、シール部１１５ｓが形成されている。具体的には、このシール部１１５ｓは、例えば、エラストマー等の熱可塑性の弾性樹脂により形成されており、二色成型により突起部１１５を形成する樹脂（例えば、ＡＢＳ樹脂やポリスチレン樹脂）と一体に成型されている。
【００４１】
このように熱可塑性の弾性樹脂にて形成したシール部１１５ｓを、突起部１１５と一体に二色成型することにより、精度よくシール部１１５ｓを形成することができ、シール部１１５ｓの剥離を防止すると共に、開口部１１７からのトナーの漏洩を経時的に安定して防止することができる。併せて、従来のフィルム部材の省略を可能とすると共に、シャッター１２０の円滑な移動を経時的に安定して維持し、部品点数や作業工数の削減を可能としてコストダウンに寄与することができる。
【００４２】
なお、図４においては、シール部１１５ｓを、シャッター１２０と接触する突起部１１５の上表面の開口部１１７側の一部に設けた場合を例示したが、シール部１１５ｓを形成する位置は、シャッター１２０と接触する突起部１１５側の表面であれば、任意に設定することができ、例えば、シャッター１２０と接触する突起部１１５の全表面にシール部１１５ｓを二色成型により一体形成してもよい。
【００４３】
このような本発明に係るシール部１１５ｓのいくつかの具体的構成について、実施例として以下に示す。
【実施例１】
【００４４】
本実施例におけるシール部１１５ｓ1は、図５に示すように、断面が略Ｉ字状となるように形成したものである。
【００４５】
具体的には、シール部１１５ｓ1は、シャッター１２０と対向する突起部１１５の表面（本例では、図中、上部表面）に設けられ、シャッター１２０の摺動を円滑にガイドする対向ガイド部１１５ｓ11と、この対向ガイド部１１５ｓ11の下方に形成され、該対向ガイド部１１５ｓ11を支持する支持部１１５ｓ12と、この支持部１１５ｓ12の下方に形成され、支持部１１５ｓ12よりも幅方向（図中、左右方向）の長さが大きくなるように形成されたストッパー部１１５ｓ13とを備えている。
【００４６】
このように構成したシール部１１５ｓ1においては、対向ガイド部１１５ｓ11、支持部１１５ｓ12及びストッパー部１１５ｓ13が、一体に突起部１１５と二色成型されており、ストッパー部１１５ｓ13の幅が、支持部１１５ｓ12の幅よりも長くなるように形成されているので、シール部１１５ｓ1が、シャッター１２０の摺動方向と直交する方向（本例では、上下方向）に対して移動不能となる。これにより、シール部１１５ｓ1が、シャッター１２０の開閉動作により剥離することを確実に防止することができる。
【００４７】
なお、本実施例では、シール部１１５ｓ1を略Ｉ字状に形成して、ストッパー部１１５ｓ13により、シール部１１５ｓ1の剥離を防止したが、変形例としては、図６に示すように、断面が略凸形状となるような、ストッパー部１１５ｓ23を有するシール部１１５ｓ2を形成してもよいし、図７に示すように、断面が略Ｌ字状となるような、ストッパー部１１５ｓ33を有するシール部１１５ｓ3を形成してもよい。
【００４８】
すなわち、近接するシール部よりも幅が広いストッパー部を形成することにより、シャッター１２０の開閉動作に対して、確実に剥離を防止することができる任意の形状のシール部を実現することができる。
【実施例２】
【００４９】
本実施例におけるシール部１１５ｓ4は、図８に示すように、シャッター１２０の摺動方向端部に面取り部１１５ｓ41を形成したものである。より具体的には、シャッター１２０の開放状態において、該シャッター１２０と対向するシール部１１５ｓ4の対向端部（本例では、図中、シール部１１５ｓ4の左側端部）に面取り部１１５ｓ41を形成したものである。
【００５０】
このように構成したシール部１１５ｓ4においては、開口部１１７を開放するようにシャッター１２０が移動した状態から、開口部１１７を閉鎖するようにシャッター１２０を移動させる際に、面取り部１１５ｓ41により、シャッター１２０の摺動動作をより円滑に行うことができる。
【００５１】
また、面取り部１１５ｓ41は、二色成型により突起部１１５と一体形成されるので、金型の形状に基づいて、精度良く面取り形状を実現することができ、従来のスポンジ等のシール部材２０５ｓの構成に比し、面取り加工を省略することができる。
【００５２】
なお、図８においては、突起部１１５と一体形成したシール部１１５ｓ4に面取り部１１５ｓ41を設けたが、対応するシャッター１２０に面取り部を設けてもよいし、シール部１１５ｓ及びシャッター１２０の双方に面取り部を設けてもよい。
【００５３】
また、以上の各実施例においては、二色成型により突起部１１５と一体に形成したシール部１１５ｓを例示したが、本発明に係るシール部は、このような突起部１１５との一体形成に限られるものではなく、例えば、図９に示すように、二色成型によりシャッター１２０と一体に形成したシール部１２０ｓを設けてもよい。また、シール部を突起部１１５及びシャッター１２０の両者に設けて、シール部とそれぞれの部材とを二色成型により一体に形成してもよい。
【００５４】
さらに、以上例示した各実施例は、それぞれ単独で実施してもよいし、当然に、組み合わせて実施してもよい。
【図面の簡単な説明】
【００５５】
【図１】本発明に係る画像形成装置の一実施の形態の構成を示す模式図である。
【図２】本発明に係るトナーカートリッジの構成を示す模式図である。
【図３】従来のトナーカートリッジの構成を示す模式図である。
【図４】本発明に係るトナーカートリッジのシール部を示す模式的断面図である。
【図５】本発明のトナーカートリッジの実施例１に係るシール部を示す模式的断面図である。
【図６】本発明のトナーカートリッジの実施例１の変形例に係るシール部を示す模式的断面図である。
【図７】本発明のトナーカートリッジの実施例１の別の変形例に係るシール部を示す模式的断面図である。
【図８】本発明のトナーカートリッジの実施例２に係るシール部を示す模式的断面図である。
【図９】本発明に係るシール部をシャッターと一体成形した例を示す模式図である。
【符号の説明】
【００５６】
１Ｙ−１Ｋ：画像形成ユニット、２Ｙ−２Ｋ：感光体ドラム、３Ｙ−３Ｋ：帯電ロール、４Ｙ−４Ｋ：露光装置、５Ｙ−５Ｋ：現像装置、６Ｙ−６Ｋ：一次転写ロール、７Ｙ−７Ｋ：ドラムクリーニング装置、８Ｙ−８Ｋ：除電装置、９：中間転写ベルト、１０Ｙ−１０Ｋ：トナーカートリッジ、１２：二次転写ロール、１３：バックアップロール、１４：ベルトクリーニング装置、１５：定着装置、１７：給紙カセット、１８：記録用紙、１００：画像形成装置、１０２：画像読取装置、１１０：収容部、１１５：突起部、１１５ｇ：ガイド部、１１５ｓ：シール部、１１７：開口部、１２０：シャッター、１２０ｓ：シール部
【図１】
2008008952.tif 000003
【図２】
2008008952.tif 000004
【図３】
2008008952.tif 000005
【図４】
2008008952.tif 000006
【図５】
2008008952.tif 000007
【図６】
2008008952.tif 000008
【図７】
2008008952.tif 000009
【図８】
2008008952.tif 000010
【図９】
2008008952.tif 000011